(57)【要約】【課題】防水コンセントを取り外さなくても、壁面の貫通孔を防水しているかどうかを確認することができるようにする。【解決手段】栓刃挿入穴５２を有するコンセント本体１と、壁面Ｈ側に開口２ｂを有すると共に下側面側に栓刃挿入穴５２を下方に向けた状態で外部に臨ませる開口２ｃを有する防水コンセントプレート２と、開口２ｂを閉塞する箱状に形成され、貫通孔ＴＨから引き出されてコンセント本体１に接続される電線を挿通するための開口８０を有する防水パッキン１０８とを備える防水コンセントに対し、電線を囲繞した状態で、開口８０側から貫通孔ＴＨ内に伸びて圧入する筒状部１１１と、この開口８０側に設けられ開口８０を塞ぐ鍔部１１３と、防水コンセントの外部に伸びる表示片１１４とを有する形状に形成されたブッシング１１Ａを使用した。【選択図】  図１
2004206970.tif 000002
【特許請求の範囲】
【請求項１】
プラグ栓刃挿入口を有するコンセント本体と、
このコンセント本体を内部に収納する箱状に形成され、壁面側に開口を有すると共に下側面側に前記プラグ栓刃挿入口を下方に向けた状態で外部に臨ませる開口を有する防水コンセントプレートと、
この防水コンセントプレートの壁面側の開口を閉塞する形状に形成され、壁面の貫通孔から引き出されて前記コンセント本体に接続される電線を挿通するための開口を有する防水パッキンと
を備える防水コンセントに対して使用されるブッシングであって、
前記防水パッキンの開口内に挿通される電線を囲繞した状態で、前記防水パッキンの開口側から前記壁面の貫通孔内に伸びて圧入する筒状部と、この筒状部における前記防水パッキンの開口側に設けられその開口を塞ぐ鍔部と、この鍔部から前記防水コンセントの外部に伸びる表示片とを有する形状に形成されている
ことを特徴とするブッシング。
【請求項２】
前記表示片には、前記防水コンセント内の位置においてその防水コンセントの外部側に位置する当該表示片の一部または全部を切り離すための切離し加工が施されていることを特徴とする請求項１記載のブッシング。
【請求項３】
プラグ栓刃挿入口を有するコンセント本体と、
このコンセント本体を内部に収納する箱状に形成され、壁面側に開口を有すると共に下側面側に前記プラグ栓刃挿入口を下方に向けた状態で外部に臨ませる開口を有する防水コンセントプレートと、
この防水コンセントプレートの壁面側の開口を閉塞する形状に形成され、壁面の貫通孔から引き出されて前記コンセント本体に接続される電線を挿通するための開口を有する防水パッキンと
を備え、
前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、
前記防水パッキンが透明になっている
ことを特徴とする防水コンセント。
【請求項４】
プラグ栓刃挿入口を有するコンセント本体と、
このコンセント本体を内部に収納する箱状に形成され、壁面側に開口を有すると共に下側面側に前記プラグ栓刃挿入口を下方に向けた状態で外部に臨ませる開口を有する防水コンセントプレートと、
この防水コンセントプレートの壁面側の開口を閉塞する形状に形成され、壁面の貫通孔から引き出されて前記コンセント本体に接続される電線を挿通するための開口を有する防水パッキンと
を備え、
前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、
前記防水コンセントプレートの一部が透明になっている
ことを特徴とする防水コンセント。
【発明の詳細な説明】
【０００１】
【発明の属する技術分野】
本発明は、ブッシングおよび防水コンセントに関するものである。
【０００２】
【従来の技術】
従来、建物の外壁で商用電源接続器（コンセント）を取り出したい場合は、防水性能を有した防滴プレートなどにコンセントを取り付けている。
【０００３】
図８は屋外の壁面Ｈに取り付けられる従来の防水コンセント（特許文献１）を示す斜視図、図９は同防水コンセントの分解斜視図である。
【０００４】
この防水コンセントは、図９に示すように、アースピン有り無しの２種類の電源プラグを接続することができるようになっており、前面及び下面が開口するボディ１０３と、このボディ１０３の前面に被着され後面及び下面が開口するカバー１０４と、上記ボディ１０３にカバー１０４を被着した状態で開口する下面開口に被着される下カバー１０５とで構成されている。ここで、防水コンセントプレート２の壁面Ｈと反対側が前面、壁面Ｈに取り付けられる面が後面、地面に対向する側を下面とし、図９においては、上側が後面、下側が前面、右側が下面に対応する。
【０００５】
ボディ１０３は、図示していないが内部が隔壁により上下の収納部に分離され、下方の収納部に刃受ばね１０６ａ，１０６ｂ，１０６ｃが収納され、また上方収納部はさらに左右方向において３つの収納室に分離され、夫々の収納室に電源ラインの電源線及びアース線を夫々接続する接続端子部１０７の構成部品が収納される。各接続端子部１０７の構成部品の収納室の底面には夫々下面側から電源線やアース線を収納室内に挿入する２個の挿入孔３０を穿孔してあると共に、詳細は後述する解除孔３１を穿孔してある。このボディ１０３の両側には防水コンセントプレート２にボディ１０３を固定するための固定ねじ３８を挿通する挿通孔３２が穿孔された取付片３３を形成してある。
【０００６】
カバー１０４は上記ボディ１０３の各収納部あるいは収納室に対応する収納部４０及び収納室４１が隔壁４２により分離形成されている。上記収納部４０の内底面は斜め前向きの傾斜面になっており、内底面の中央に複数の突起４４を左右方向に列設してある。なお、上記ボディ１０３の図示しない刃受ばね１０６ａ，１０６ｂ，１０６ｃの収納部の底面は斜め後向きの傾斜面になっており、このためボディ１０３にカバー１０４を被着した際に形成される刃受ばね１０６ａ，１０６ｂ，１０６ｃの収納部は下方の空間が広くなる。また、ボディ１０３の刃受ばね１０６ａ，１０６ｂ，１０６ｃの収納部の底面にもカバー１０４と同様の複数の突起を形成してある。このカバー１０４の中央両側の隔壁４２部分には嵌合孔４３を穿孔してあり、この嵌合孔４３にボディ１０３に突設された嵌合突起を嵌合して、カバー１０４をボディ１０３に位置決めして被着できるようにしてある。
【０００７】
下カバー１０５はボディ１０３にカバー１０４を被着した状態で下方から被着するもので、背面から夫々平板状の分離片５０,５１を突設してある。分離片５０はボディ１０３にカバー１０４を被着した際に形成される刃受ばね１０６ａ，１０６ｂ，１０６ｃの収納部を左右に分離するもので、この分離片５０で分離された一方の収納空間は狭く、他方の収納部は広くなっており、狭い方の収納空間を以下の説明では側部収納部と呼ぶ。また、上記広い方の収納空間は分離片５１で前後に分離され、この分離片５１で分離された収納空間を夫々前収納部及び後収納部と呼ぶ。ここで、上記前後収納部には夫々電源プラグの栓刃が接続される刃受ばね１０６ａ,１０６ｂが収納されると共に、側部収納部に電源プラグのアースピンを接続する刃受ばね１０６ｃが収納される。また、下カバー１０５の外周面には上面よりやや下方に鍔片５５を周設してあり、この鍔片５５の背面の四隅部にボディ１０３にカバー１０４を被着した際の開口側の外周面を包み込む形で保持する保持リブ５４を形成してある。この下カバー１０５の前面には上記前後収納部に対応して電源プラグの栓刃を挿入する栓刃挿入穴５２を穿設すると共に、側部収納部に対応してアースピンを挿入するピン挿入穴５３を穿設してあり、夫々の挿入穴５２,５３は円弧状に形成し、挿入した栓刃及びアースピンを所定角度回転することができるようになっている。
【０００８】
上記前後収納部に夫々収納される刃受ばね１０６ａ,１０６ｂは、下カバー１０５の前部あるいは後部に夫々２個ずつ形成された栓刃挿入穴５２を通して挿入される電源プラグの栓刃を挟持する形で受ける２個の刃受部６０ａを一体に形成してあり、夫々の刃受部６０ａの先端形状は栓刃挿入穴５２の形状に合わせた弧状に形成してあり、栓刃を回転した際に栓刃の抜けを防止する係止用のダボを形成してある。つまり刃受けばね１０６ａ，１０６ｂは抜け止め刃受けばねを構成する。また、側部収納部に収納される刃受ばね１０６ｃはアースピンを挟持する形で受ける刃受部６０ｂを備える。
【０００９】
続端子部１０７は所謂速結端子構造となっており、ボディ１０３の収納室に夫々収納される一対の鎖錠ばね７０と、解除釦７１と、鎖錠ばね７０を覆う形で収納室内に収納されるコ字状の端子板７２とからなり、収納室の底面に穿孔された電線挿入孔３０から挿入される電源線の芯線を鎖錠ばね７０と端子板７２の間で弾性挟持して接続するようになっている。そして、電源線を抜く場合には解除釦７１を解除孔３１から押すと、解除釦７１が鎖錠ばね７０を押圧することにより鎖錠ばね７０を電源線の芯線から引き離すように作用して電源線が抜けるようになっている。なお、電源ラインのアース線を接続する接続端子部１０７も同様の構造としてある、なお、このアース接続端子部１０７を他の接続端子部１０７と明確に識別できるように、アース接続端子部１０７の解除釦７１ａの色を他の接続端子部１０７の解除釦７１の色と異ならせてある。上記端子板７２からは夫々連結片７３が延設され、この連結片７３により夫々対応する刃受ばね１０６ａ〜１０６ｃにかしめて連結してある。
【００１０】
防水コンセントプレート２は後面（壁面Ｈへの取付面側）が開口する箱状で、上部を前方に膨出し、この膨出部２０内にコンセント本体１を収納する。なお、膨出部２０の側面形状は下方が高くなった略三角形で、前面形状が長方形となっており、この下面は開口してある。そして、開口の下方を覆う雨避けのコ状のフード２１を開口縁に取り付けてある。この膨出部２０の内底面の両側部にはボディ１０３を固定するためのねじ孔２０ａが穿孔されたボス２０ｂを形成してある。この防水コンセントプレート２の下部の前面には後述するリード板６１に一体形成された螺合部６２を露呈する穴２７を形成してあり、この下部の内底面にはリード板６１用の位置決め溝を一対の凸リブ２８で形成してある。この防水コンセントプレート２の下部の中央には固定ねじ２６を通す挿通孔２９を穿孔してあり、また膨出部２０の内底面の上端にはボス２０ｃを形成し、前面からこのボス２０ｃ内を貫通して固定ねじ２６を通す貫通孔２５を穿孔してあり、上記挿通孔２９及び貫通孔２５を通して固定ねじ２６を螺合することでコンセントの壁面Ｈへの取付を行う。
【００１１】
リード板６１は一端部をコ字状に曲成して前方に突出させると共に、コ字状部の中央片にねじ孔６９が穿孔された螺合部６２を形成し、この螺合部６２には図８に示すアースねじ６４が螺合され、螺合部６２とアースねじ６４とでアースをとるアースターミナルが構成される。この螺合部６２の前面両側には弧状の抜止め片６３を形成し、この螺合部６２にアースねじ６４を螺合してアース線を接続する場合に、このアース線がアースねじ６１と螺合部６２との間に容易に保持できるようにしてある。なお、この螺合部６２の両側部にはリード板６１をケース２に固定するための固定ねじ６５用の挿通孔６６と切欠６７とを形成してある。
【００１２】
このリード板６１の中央部は複数段に折曲し、他方のＴ字状になった先端の一端側にコンセント本体１側に突出するくさび状の爪片６８を形成してある。つまり、このリード板６１を用いて、アース用の接続端子部１０７に接続するようにしてある。このために、ボディ１０３のアース接続端子部１０７の形成部分には、その他の接続端子部１０７と同一形状の収納室と、上記リード板６１の爪片６８を接続するためのリード板接続端子部１０７ａを構成する部品を収納する収納室を形成してある。なお、この収納室には鎖錠ばね７０ａと、端子板７２に一体に連結して形成された端子板７２ａとが収納される。そして、この収納室の底面にリード板６１の爪片６８を挿入する挿入孔３０ａを形成してある。
【００１３】
さらに、栓刃挿入穴５２及びピン挿入穴５３を栓刃やアースピンの不挿入時に閉塞する構造としてある。このために、栓刃挿入穴５２を閉塞する扉３４と、不挿入時に扉３４を栓刃挿入穴５２を閉塞するように弾発する板ばね３５とを備えている。板ばね３５はボディ１０３及びカバー１０４の下方収納部に突設された突起（カバー１０４の場合には突起４４）により固定され、切起こしにより扉３４を弾発する弾性片３６を形成してある。扉３４は上記板ばね３５と刃受ばね１０６ａ，１０６ｂ，１０６ｃとの間に介装され、先端に栓刃挿入穴５２を閉塞する閉塞片３７が形成され、この閉塞片３７の刃受ばね１０６ａ，１０６ｂ，１０６ｃ側に臨む面は奥に行くほどに下カバー１０５の絶縁片５１側に傾斜したテーパ面に形成してあり、栓刃をスムーズに導入できるようにしてある。
【００１４】
そして、電源プラグの栓刃の不挿入時には閉塞片３７が絶縁片５１に当接して栓刃挿入穴５２を閉塞する。なお、ピン挿入穴５３の不使用時の閉塞も略同様にして扉３４ａ及び板ばね３５ａにより行う。このアース用の刃受ばね１０６ｃ部分では、板ばね３５ａをボディ１０３の下方収納部の側面に対向して形成した一対の縦溝内に前方からスライド挿入して固定するようにしてある。このようにすると、板ばね３５ａの所定位置への取付が容易になり、板ばね３５ａの挿入方向を組立方向に一致させると自動組立において特に有効であり、また他の板ばね３５のように凸リブ４４に圧入する場合に比べて板ばね３５ａの大きさを小さくできる利点もある。さらに、このアースピンの挿入孔５３を閉塞する扉３４ａの位置決めを行うために、ボディ１０３をカバー１０４を被着した際に形成される側部収納部に扉３５ａの作動方向に直交する両面を若干の間隙をおいて挟む形で保持して行うガイド部を形成して、扉３５ａのがたつきを少なくしてある。
【００１５】
ところが、ガイド部４６がボディ３とカバー４とにまたがって形成される場合には、ボディ１０３やカバー１０４の反り変形等により扉３５ａの作動不良が生じることがあるので、これを防止するためにガイド部のアースピンの挿入孔５３側にテーパを付けて挿入側に行くほどに幅を広くしてある。このようにアースピン挿入孔５３を不挿入時に閉塞する扉３５,３５ａを設けてあるので、挿入孔５３から水が浸入したり、異物が混入したりすることがない。
【００１６】
以下、このコンセントの組立手順を簡単に説明する。まず、ボディ１０３に下側の板ばね３５、アース側の板ばね３５ａ、鎖錠ばね７０、解除釦７１及び端子板７２が一体になった刃受ばね１０６ａ，１０６ｂ，１０６ｃを組み込み、次にカバー１０４に前側の板ばね３５を取り付けて、ボディ１０３にカバー１０４を被着する。
【００１７】
この状態で各扉３４,３４ａを板ばね３５,３５ａと刃受ばね１０６ａ〜１０６ｃとの間に介装し、その後絶縁片５０,５１を刃受ばね１０６ａ〜１０６ｃの夫々の間に挿入するようにして下カバー１０５を取り付ける。このようにして組み立てたコンセント本体１を防水コンセントプレート２の後面から膨出部２０内に挿入し、このときコンセント本体１の下カバー１０５を膨出部２０の開口に嵌め込んでコンセント本体１を所定位置に固定し、この状態で固定ねじ３８を防水コンセントプレート２のボス２０ｂのねじ孔２０ａに螺合することで、コンセント本体１の防水コンセントプレート２への取付が完了し、このとき同時にボディ１０３と防水コンセントプレート２との間にカバー１０４及び下カバー１０５が挟持されて固定される。なお、下カバー１０５は鍔片５５により膨出部の開口からの抜けが防止される。
【００１８】
この状態でリード板６１の螺合部６２を穴２７から露呈させると共に、爪片６８を挿入孔３０ａに挿入してリード板６１をアース接続端子部７に接続し、リード板６１をねじ６５で防水コンセントプレート２に固定する。そして、螺合部６２に防水コンセントプレート２の表面側からアースねじ６４を螺着すれば、コンセントの組立が完了する。なお、上述の説明ではリード板６１の固定をねじ固定として説明したが、打ち込み鋲によって固定するようにしても良く、この場合には特に自動組立に有利である。さらに、上述の場合にはリード板６１の螺合部６２の両側でねじ固定を行うようにしていたが、リード板６１の先端を挿入する挿入孔２２を防水コンセントプレート２に形成し、ねじ固定を１箇所とすれば、さらに組立が容易となる。
【００１９】
このコンセントを壁面Ｈに取付に際しては、下カバー１０５の下面が後向きになる方向で取り付ける。そして、この際にはさらに防水コンセントプレート２の後面に防水パッキン１０８を嵌めると共に、取付枠１０９を用いる。防水パッキン１０８は防水コンセントプレート２の後面に周設されたリブ２ａを嵌め込む溝を前面外周縁に形成してあり、この溝にリブ２ａを嵌めることにより防水コンセントプレート２に固定される。
【００２０】
この防水パッキン１０８のボディ１０３の挿入孔３０や解除孔３１に対応する部分には矩形の開口８０を形成し、後面側から電源線等を接続できるようにしてあり、両端部に固定ねじ２６を挿通する穴８１を形成してある。取付枠１０９は矩形状で、壁面Ｈに埋設された埋込ボックスに取付穴９０を通してボックスねじを螺着して壁面Ｈに取り付けられるもので、このコンセントはこの取付枠１０９のねじ孔９１に固定ねじ２６を螺着して取り付けられる。
【００２１】
このような構成の防水コンセントは、特許文献２、特許文献３などにも記載されている。
【００２２】
【特許文献１】
特開２００１−１２６８０３号公報
【特許文献２】
特開平６−１０４０４６号公報
【特許文献３】
特開昭６１−７７２８２号公報
【００２３】
【発明が解決しようとする課題】
図８，図９に示した防水コンセントでは、壁面の凹凸が２ｍｍ以下程度であれば、壁面側の防水パッキンで防雨効果を得ることができるが、そのような防水パッキンでも、壁面の凹凸が１０ｍｍ程度になればもはや防雨効果を得ることができないという問題があった。この場合、防水コンセントの周囲にコーキング材を施して、防水パッキンと壁面との間の水の侵入する部分を防ぐ必要があり、余分な作業時間とコストがかかってしまう問題があった。
【００２４】
そこで、このような問題を解決するべく、図１０に示すような防水コンセントが本出願人によって別途提案されている（特願２００２−１７０２４８）。
【００２５】
図１０に示す防水コンセントは、栓刃挿入穴５２を有するコンセント本体１と、このコンセント本体１を内部に収納する箱状に形成され、壁面Ｈ側に開口２ｂを有すると共に下側面側に栓刃挿入穴５２を下方に向けた状態で外部に臨ませる開口２ｃを有する防水コンセントプレート２と、この防水コンセントプレート２の壁面側の開口２ｂを閉塞する箱状に形成され、壁面Ｈの貫通孔ＴＨから引き出されてコンセント本体１に接続される電線（図示せず）を挿通するための開口８０を有する防水パッキン１０８と、その他リード板６１やアースねじ６４などの各部品とを図８，図９に示した従来の防水コンセントと同様に備え、その従来の防水コンセントとの相違点として、防水パッキン１０８の開口８０内に挿通される電線を囲繞した状態で、防水パッキン１０８の開口８０側から壁面Ｈの貫通孔ＴＨ内に伸びて圧入する筒状部１１１を有する形状に形成されたブッシング１１が使用されるようになっている。
【００２６】
このようなブッシング１１を使用することにより、壁面の２ｍｍ以下程度の凹凸に対して防雨効果を持つ防水パッキンで防雨することができない壁面であっても、コンセント本体に接続される電線を引き出すための壁面の貫通孔から屋内側に水が侵入しないようにすることができる。
【００２７】
しかし、上記ブッシング１１では、例えば施工完了時点で、全ての防水コンセントに対して、壁面の貫通孔をブッシングにて防水しているかどうかを確認するためには、防水コンセントを取り外さなくてはならないという課題があった。
【００２８】
本発明は、上記事情に鑑みてなされたものであり、防水コンセントを取り外さなくても、壁面の貫通孔を防水しているかどうかを確認することができるブッシングおよび防水コンセントを提供することを目的とする。
【００２９】
【課題を解決するための手段】
上記課題を解決するための請求項１記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備える防水コンセントに対して使用されるブッシングであって、前記防水パッキンの開口内に挿通される電線を囲繞した状態で、前記防水パッキンの開口側から前記壁面の貫通孔内に伸びて圧入する筒状部と、この筒状部における前記防水パッキンの開口側に設けられその開口を塞ぐ鍔部と、この鍔部から前記防水コンセントの外部に伸びる表示片とを有する形状に形成されていることを特徴とする。
【００３０】
請求項２記載の発明は、請求項１記載のブッシングにおいて、前記表示片には、前記防水コンセント内の位置においてその防水コンセントの外部側に位置する当該表示片の一部または全部を切り離すための切離し加工が施されていることを特徴とする。
【００３１】
請求項３記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備え、前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、前記防水パッキンが透明になっていることを特徴とする。
【００３２】
請求項４記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備え、前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、前記防水コンセントプレートの一部が透明になっていることを特徴とする。
【００３３】
【発明の実施の形態】
（第１実施形態）
図１はブッシングを使用した防水コンセントの断面図、図２は同ブッシングの斜視図であり、これらの図を参照しながら本発明による第１実施形態について説明する。
【００３４】
図１に示す防水コンセントは、栓刃挿入穴５２を有するコンセント本体１と、このコンセント本体１を内部に収納する箱状に形成され、壁面Ｈ側に開口２ｂを有すると共に下側面側に栓刃挿入穴５２を下方に向けた状態で外部に臨ませる開口２ｃを有する防水コンセントプレート２と、この防水コンセントプレート２の壁面側の開口２ｂを閉塞する箱状に形成され、壁面Ｈの貫通孔ＴＨから引き出されてコンセント本体１に接続される電線（図示せず）を挿通するための開口８０を有する防水パッキン１０８と、その他リード板６１やアースねじ６４などの各部品とを図１０に示した防水コンセントと同様に備え、図１０に示したブッシング１１とは相違するブッシング１１Ａが使用される。なお、防水パッキン１０８の開口８０の外周縁には、後述する鍔部１１３の面（図１では左面）に当接してその鍔部１１３とともに防水パッキン１０８の開口８０を塞ぐ低いリブ８０ａが壁面Ｈ側に向けて突設されている。
【００３５】
ブッシング１１Ａは、例えば軟質塩化ビニル樹脂（またはエラストマーなど）によりなり、図１，図２に示すように、防水パッキン１０８の開口８０内に挿通される電線を囲繞した状態で、防水パッキン１０８の開口８０側から壁面Ｈの貫通孔ＴＨ内に伸びて圧入する筒状部１１１を有する形状に形成されている。
【００３６】
筒状部１１１は、外径が１９ｍｍ程度で内径が１５ｍｍ程度になるように寸法が設定され、筒状部１１１の外周面における貫通孔ＴＨ領域には、防水パッキン１０８の開口８０側（図１では左側）で垂直に立ち上がり壁面Ｈの内側（右側）に向かってテーパ状に傾斜する断面のこぎり刃状でヒダ状のリブ１１１ａが複数条周設されている。
【００３７】
また、ブッシング１１Ａには、防水パッキン１０８の開口８０を塞ぐ鍔部１１３が開口８０側の筒状部１１１の端部側に設けられている。鍔部１１３は、例えば厚みが２ｍｍ程度で５８ｍｍ×５８ｍｍ程度の平角状に形成される。
【００３８】
また、ブッシング１１Ａにおける筒状部１１１と鍔部１１３との間には、筒状部１１１の内径よりも大きい２７ｍｍ程度の内径の凹部１１２が設けられ、この凹部１１２の内径と同径の孔が鍔部１１３に形成されている。凹部１１２は、鍔部１１３から筒状部１１１側へ５．５ｍｍ程度膨出し、鍔部１１３の厚みと合わせて深さが４．５ｍｍ程度になるように寸法が設定されている。
【００３９】
更に、ブッシング１１Ａには、鍔部１１３の外周縁から下方に向けて防水コンセントの外部に伸びる矩形状の表示片１１４が設けられている。
【００４０】
そして、これら筒状部１１１、鍔部１１３、凹部１１２及び表示片１１４は一体に成形されている。
【００４１】
次に、図１に示すように、例えば厚みが２０ｍｍ程度の外壁における１０ｍｍ程度の深さの目地Ｊがある壁面Ｈに、ブッシング１１Ａを使用して上記構成の防水コンセントを取り付けるための手順について説明する。
【００４２】
まず、壁面Ｈの貫通孔ＴＨから引き出された電線Ｗ（後述の図６参照）を取付枠１０９（図６参照）内に挿通した状態で、その取付枠１０９を壁面Ｈにねじ止めする。次に、ブッシング１１Ａの筒状部１１１を壁面Ｈ側に向け、その表示片１１４を下方に向けて、筒状部１１１内に電線Ｗを挿通しながらブッシング１１Ａの筒状部１１１を貫通孔ＴＨに圧入する。次に、従来と同様にして、一体に組まれたコンセント本体１、防水コンセントプレート２および防水パッキン１０８などの一式を取付枠１０９にねじ止めする。
【００４３】
以上、第１実施形態によれば、ブッシング１１Ａの鍔部１１３から表示片１１４が防水コンセントの外部に伸びるので、防水コンセントの外部に露出する表示片１１４の一部を見ることにより（図１参照）、防水コンセントを取り外さなくても、壁面Ｈの貫通孔ＴＨをブッシング１１Ａにて防水しているかどうかを確認することができる。
【００４４】
また、図１０のブッシング１１と同様の効果が得られる。すなわち、ブッシング１１Ａの筒状部１１１が、防水パッキン１０８の開口８０内に挿通される電線Ｗを囲繞した状態で、防水パッキン１０８の開口８０側から壁面Ｈの貫通孔ＴＨ内に伸びて圧入するので、壁面の２ｍｍ以下程度の凹凸に対して防雨効果を持つ防水パッキンで防雨することができない壁面であっても、コンセント本体１に接続される電線Ｗを引き出すための壁面Ｈの貫通孔ＴＨから屋内側に水が侵入しないようにすることができる。
【００４５】
また、ブッシング１１Ａの筒状部１１１の外周面に周設されたヒダ状のリブ１１１ａが貫通孔ＴＨから屋内側に侵入しようとする雨水に対して防波堤の役目を果たすので、屋内側への雨水の浸入を好適に防止することができるほか、全体をテーパ状とした構造と比べて摩擦抵抗が小さくなるので、ブッシング１１Ａの筒状部１１１を貫通孔ＴＨに圧入し易くなる。
【００４６】
また、ブッシング１１Ａの鍔部１１３が防水パッキン１０８の開口８０を塞ぐので、コンセント本体１側への雨水の浸入をも防止することができる。第１実施形態では、防水パッキン１０８の開口８０の外周縁に壁面側を向く高さの低いリブ８０ａが周設されているので、コンセント本体１側への雨水の浸入をより好適に防止することができるほか、防水パッキン１０８の製造が容易となり、リブ８０ａに邪魔されることなく電線Ｗを結線するための施工性が良くなる。
【００４７】
更に、ブッシング１１Ａにおける筒状部１１１と鍔部１１３との間に筒状部１１１の内径よりも径の大きな凹部１１２が存在することで、凹部の存在しない構造のものと比べ、電線Ｗの収まりが良くなる。
【００４８】
（第２実施形態）
図３はブッシングの斜視図、図４は同ブッシングを使用した防水コンセントの断面図であり、これらの図を参照しながら本発明による第２実施形態について説明する。
【００４９】
図４に示す防水コンセントは、第２実施形態の特徴として、第１実施形態のブッシング１１Ａとは相違するブッシング１１Ｂが使用される。
【００５０】
このブッシング１１Ｂは、ブッシング１１Ａとの相違点として、図３に示すように、表示片１１４に、防水コンセント内の位置においてその防水コンセントの外部側に位置する当該表示片１１４の一部または全部を切り離すための切離し加工が施されている。図３の例では、鍔部１１３から表示片１１４の全部を切り離すためのミシン目１１４ａが入れられている。
【００５１】
このような構成の第２実施形態によれば、施工後にブッシングの取付けを確認した後などで、切離し加工が施されたミシン目１１４ａの位置で表示片１１４を切り離すことにより、防水コンセントの外部に表示片１１４の一部が露出しなくなるから、外観を良くすることができる。
【００５２】
（第３実施形態）
図５はブッシングの構成図であり、この図を参照しながら本発明による第３実施形態について説明する。
【００５３】
第３実施形態のブッシング１１Ｃは、第２実施形態のブッシング１１Ｂとの相違点として、図５に示すように、筒状部１１１の外周面における凹部１１２の後方端面から３０，４０，５０，６０，７０ｍｍ程度の位置に、それぞれ複数条の溝１１１ｂ，１１１ｃ，１１１ｄ，１１１ｅ，１１１ｆが周設されている一方、幅１０ｍｍ程度で長さが１００ｍｍ程度の表示片１１４における先端から５ｍｍ程度間隔の位置に、複数の横断溝１１４ｂ，１１４ｃ，１１４ｄ，１１４ｅが形成されている。なお、図５（ｂ）の例では、表示片１１４は、２ｍｍ程度の厚みの鍔部１１３よりも薄い厚み（例えば１ｍｍ程度）になっている。
【００５４】
このような構成の第３実施形態によれば、例えば、複数条の溝のいずれかで筒状部１１１を切断し、複数の横断溝のいずれかで表示片１１４を切断することにより、施工に合うようにブッシング１１Ｃの形状を調整することができる。
【００５５】
（第４実施形態）
図６は防水コンセントおよびブッシングなどを示す斜視図であり、この図を参照しながら本発明による第４実施形態について説明する。
【００５６】
図６に示す防水コンセントは、図１０に示した防水コンセントとの相違点として、透明の防水パッキン１０８Ａを備えている。
【００５７】
このような構成の第４実施形態によれば、防水パッキン１０８Ａを透してブッシング１１を見ることができるようになるから、防水コンセントを取り外さなくても、壁面Ｈの貫通孔ＴＨをブッシング１１にて防水しているかどうかを確認することができる。
【００５８】
（第５実施形態）
図７は防水コンセントおよびブッシングなどを示す斜視図であり、この図を参照しながら本発明による第５実施形態について説明する。
【００５９】
図７に示す防水コンセントは、図１０に示した防水コンセントとの相違点として、防水コンセントプレート２Ａの膨出部２０前面の一部に、例えば樹脂製の透明窓部２０ｄが埋め込まれている。なお、コンセント本体１に邪魔されずにブッシング１１を見通せる位置に透明窓部２０ｄを設けるようにしてもよく、コンセント本体１のボディ１０３、カバー１０４及び下カバー１０５などを透明樹脂製にするようにしてもよい。
【００６０】
このような構成の第５実施形態によれば、防水コンセントプレート２Ａの一部を透してブッシング１１を見ることが可能となる。これにより、防水コンセントを取り外さなくても、壁面Ｈの貫通孔ＴＨをブッシング１１にて防水しているかどうかを確認することができる。
【００６１】
【発明の効果】
以上のことから明らかなように、請求項１記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備える防水コンセントに対して使用されるブッシングであって、前記防水パッキンの開口内に挿通される電線を囲繞した状態で、前記防水パッキンの開口側から前記壁面の貫通孔内に伸びて圧入する筒状部と、この筒状部における前記防水パッキンの開口側に設けられその開口を塞ぐ鍔部と、この鍔部から前記防水コンセントの外部に伸びる表示片とを有する形状に形成されているので、ブッシングの鍔部から表示片が防水コンセントの外部に伸びるので、防水コンセントの外部に露出する表示片の一部を見ることにより、防水コンセントを取り外さなくても、壁面の貫通孔をブッシングにて防水しているかどうかを確認することができる。
【００６２】
請求項２記載の発明は、請求項１記載のブッシングにおいて、前記表示片には、前記防水コンセント内の位置においてその防水コンセントの外部側に位置する当該表示片の一部または全部を切り離すための切離し加工が施されているので、施工後にブッシングの取付けを確認した後などで、切離し加工が施された位置で表示片の一部または全部を切り離すことにより、防水コンセントの外部に表示片の一部が露出しなくなるから、外観を良くすることができる。
【００６３】
請求項３記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備え、前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、前記防水パッキンが透明になっているので、防水パッキンを透してブッシングを見ることができるようになるから、防水コンセントを取り外さなくても、壁面の貫通孔をブッシングにて防水しているかどうかを確認することができる。
【００６４】
請求項４記載の発明は、プラグ栓刃挿入口を有するコンセント本体と、このコンセント本体を内部に収納する箱状に形成され、壁面側に開口を有すると共に下側面側に前記プラグ栓刃挿入口を下方に向けた状態で外部に臨ませる開口を有する防水コンセントプレートと、この防水コンセントプレートの壁面側の開口を閉塞する形状に形成され、壁面の貫通孔から引き出されて前記コンセント本体に接続される電線を挿通するための開口を有する防水パッキンとを備え、前記防水パッキンの開口内に挿通される電線を囲繞した状態で、前記防水パッキンの開口側から前記壁面の貫通孔内に伸びて圧入する筒状部を有する形状に形成されたブッシングが使用される防水コンセントであって、前記防水コンセントプレートの一部が透明になっているので、防水コンセントプレートの一部を透してブッシングを見ることが可能となり、これにより、防水コンセントを取り外さなくても、壁面の貫通孔をブッシングにて防水しているかどうかを確認することができる。
【図面の簡単な説明】
【図１】ブッシングを使用した防水コンセントの断面図である（第１実施形態）。
【図２】同ブッシングの斜視図である。
【図３】ブッシングの斜視図である（第２実施形態）。
【図４】同ブッシングを使用した防水コンセントの断面図である。
【図５】ブッシングの構成図である（第３実施形態）。
【図６】防水コンセントおよびブッシングなどを示す斜視図である（第４実施形態）。
【図７】防水コンセントおよびブッシングなどを示す斜視図である（第５実施形態）。
【図８】屋外の壁面に取り付けられる従来の防水コンセントを示す斜視図である。
【図９】同防水コンセントの分解斜視図である。
【図１０】特願２００２−１７０２４８号の出願で提案している防水コンセントの断面図である。
【符号の説明】
１  コンセント本体
２，２Ａ  防水コンセントプレート
１０８，１０８Ａ  防水パッキン
１１Ａ，１１Ｂ，１１Ｃ，１１  ブッシング
１１１  筒状部
１１１ａ  リブ
１１２  凹部
１１３  鍔部
【図１】
2004206970.tif 000003
【図２】
2004206970.tif 000004
【図３】
2004206970.tif 000005
【図４】
2004206970.tif 000006
【図５】
2004206970.tif 000007
【図６】
2004206970.tif 000008
【図７】
2004206970.tif 000009
【図８】
2004206970.tif 000010
【図９】
2004206970.tif 000011
【図１０】
2004206970.tif 000012